(57)【要約】【課題】所望とする時間帯が変わっても情報の集め直しをする必要がなく、また自分が興味のある情報に絞ったちらし情報（新聞等の折込み広告に相当する情報）を収集することを可能にする。【解決手段】情報探索者６１の端末装置５１は、意味情報ネットワークに対し、情報探索者の行動予定の目的地と嗜好情報とによりフィルタを設定する（ステップ１０８）。情報提供者６２の端末装置５２は、催し物の場所とその催し物の特性とを意味情報としてちらし情報を含むイベントを意味情報ネットワークに送信する（ステップ１１１）。イベントによってフィルタが発火したことにより（ステップ１１２）、情報探索者６１の端末装置５１は、イベントに含まれるちらし情報を取得して蓄積する（ステップ１１３）。【選択図】      図２
2004318659.tif 000002
【特許請求の範囲】
【請求項１】
情報探索者の行動予定と嗜好とに基づいたちらし情報を前記情報探索者が受信できるようにするちらし配信方法であって、
前記情報探索者の端末装置が、意味情報ネットワークに対し、前記情報探索者の行動予定の目的地と嗜好情報とによりフィルタを設定するステップと、
情報提供者の端末装置が、催し物の場所と該催し物の特性とを意味情報としてちらし情報を含むイベントを前記意味情報ネットワークに送信するステップと、を有し、
前記イベントによって前記フィルタが発火したことにより、前記情報探索者の端末装置が前記イベントに含まれる前記ちらし情報を取得する、ちらし配信方法。
【請求項２】
前記情報探索者の端末装置が前記情報探索者のウェブ参照履歴を蓄積するステップを有し、蓄積されたウェブ参照履歴に基づいて前記嗜好情報が前記フィルタに設定される、請求項１に記載のちらし配信方法。
【請求項３】
前記情報探索者の端末装置は、無線を介してネットワークに接続する移動端末装置であり、前記情報提供者が電波の届く範囲を情報提供を行う地理的範囲と定める場合には、前記行動の予定地を省略したフィルタが設定され、前記催し物の場所が省略されたイベントが送信される、請求項１または２に記載のちらし配信方法。
【請求項４】
前記情報探索者が第１および第２の端末装置を使用するとともに前記第１および第２の端末装置の少なくとも一方は無線を介してネットワークに接続する移動端末装置であり、さらに、前記第１の端末装置が前記第２の端末装置に、フィルタに設定した情報および取得したちらし情報とを転送するステップと、前記第２の端末装置が前記第１の端末装置に、フィルタに設定した情報および取得したちらし情報とを転送するステップと、を有する、請求項１または２に記載のちらし配信方法。
【請求項５】
情報探索者の行動予定と嗜好とに基づいたちらし情報を前記情報探索者が受信できるようにするちらし配信システムであって、
意味情報ネットワークと、前記意味情報ネットワークに接続可能な前記情報探索者の端末装置と、前記意味情報ネットワークに接続可能な情報提供者の端末装置を有し、
前記情報探索者の端末装置は、前記意味情報ネットワークに対し前記情報探索者の行動予定の目的地と嗜好情報とによりフィルタを設定する手段と、前記フィルタにおいて発火したイベントに含まれるちらし情報を取得する手段と、を有し、
前記情報提供者の端末装置は、催し物の場所と該催し物の特性とを意味情報としてちらし情報を含むイベントを前記意味情報ネットワークに送信する手段を有する、
ちらし配信システム。
【請求項６】
前記情報探索者の端末装置は、さらに、前記情報探索者のウェブ参照履歴を蓄積して統計を取得する手段を有し、前記統計に基づいて前記嗜好情報を前記フィルタに設定する、請求項５に記載のちらし配信システム。
【請求項７】
前記情報探索者の端末装置は、無線を介してネットワークに接続する移動端末装置であり、前記情報提供者が電波の届く範囲を情報提供を行う地理的範囲と定める場合には、前記行動の予定地を省略したフィルタを設定する、請求項５または６に記載のちらし配信システム。
【請求項８】
前記情報探索者の端末装置が２つ設けられ、前記２つの情報探索者の端末装置のうち少なくとも一方は無線を介してネットワークに接続する移動端末装置であり、
前記２つの情報探索者の端末装置のうちの一方の端末装置は、さらに、該一方の端末装置が前記フィルタに設定した情報及び該フィルタの発火により取得したちらし情報を前記２つの情報探索者の端末装置のうちの他方の端末装置に転送する手段と、前記他方の端末装置から転送される、該他方の端末装置がフィルタに設定した情報および取得したちらし情報とを受信する手段と、を備え、
前記他方の端末装置は、さらに、該他方の端末装置が前記フィルタに設定した情報及び該フィルタの発火により取得したちらし情報を前記一方の端末装置に転送する手段と、前記一方の端末装置から転送される、該一方の端末装置がフィルタに設定した情報および取得したちらし情報とを受信する手段と、を備える、
請求項５または６に記載のちらし配信システム。
【請求項９】
意味情報ネットワークに接続可能な端末装置であって、前記意味情報ネットワークに対し、前記情報探索者の行動予定の目的地と嗜好情報とによりフィルタを設定する手段と、前記フィルタにおいて発火したイベントに含まれるちらし情報を取得する手段と、を有する端末装置。
【請求項１０】
前記情報探索者のウェブ参照履歴を蓄積して統計を取得する手段を有し、前記統計に基づいて前記嗜好情報を前記フィルタに設定する、請求項９に記載の端末装置。
【請求項１１】
前記意味情報システムに接続可能な他の端末装置に対し、前記フィルタに設定した情報及び該フィルタの発火により取得したちらし情報を転送する手段と、
当該他の端末装置から転送される、当該他の端末装置がフィルタに設定した情報および取得したちらし情報とを受信する手段と、さらにを備える、請求項８または９に記載の端末装置。
【請求項１２】
無線を介してネットワークに接続する携帯端末装置であり、電波の届く範囲が情報提供を行う地理的範囲と定められている場合には、前記行動の予定地を省略したフィルタを設定する、請求項９乃至１１のいずれか１項に記載の端末装置。
【請求項１３】
意味情報ネットワークに接続可能な端末装置であって、催し物の場所と催し物の特性とを意味情報としてちらし情報を含むイベントを前記意味情報ネットワークに送信する手段を有する、端末装置。
【請求項１４】
無線電波の届く範囲が情報提供を行う地理的範囲であると定められている場合に、催し物の場所を省略したイベントを送信する、請求項１３に記載の端末装置。
【請求項１５】
コンピュータを、意味情報ネットワークに対し情報探索者の行動予定の目的地と嗜好情報とによりフィルタを設定する手段と、前記フィルタにおいて発火したイベントに含まれるちらし情報を取得する手段として機能させる、プログラム。
【請求項１６】
コンピュータを、催し物の場所と該催し物の特性とを意味情報とするイベントを前記意味情報ネットワークに送信する手段として機能させる、プログラム。
【請求項１７】
コンピュータが読み取り可能な記録媒体であって、請求項１５または１６に記載のプログラムを記録した記録媒体。
【発明の詳細な説明】
【０００１】
【発明の属する技術分野】
本発明は、被配信者（情報探索者）が、その行動予定の目的地情報と嗜好情報に基づいて、それに合ったちらし情報（宣伝・広告情報）が取得できるようにするちらし配信方法に関し、特に、意味情報ネットワークを用いたちらし配信方法及びシステムと、このちらし配信システムで用いられる端末装置に関する。
【０００２】
【従来の技術】
現在、ちらし広告、すなわち新聞折込み広告や街頭配布、店頭配布の広告物は、各種イベントの開催の告知や、店舗における特売の告知などに広く使用されている。ちらし広告を受け取る消費者としても、それらのちらしによって、Ａ店では今日は肉が特売だ、Ｂ店では刺身盛り合わせが安い、などの情報を取得して、日々の購買活動を行っている。しかし、新聞折込み広告などのちらしは、紙媒体であって印刷に日時を要するとともに事前に新聞販売店などに持ち込まなければならないので、急に開催が決まったイベントの告知などには使用することができない。また、消費者としても、スーパーマーケットのちらし、自動車ディーラのちらし、学習塾のちらし、不動産関係のちらしなどが混在して束となって新聞に折込まれている状態から所望のちらしを探し出さなくてはならず、手間がかかることになるとともに、自分が望んでいる情報を掲載したちらしを見落としがちとなる。このことは、広告を出す側にとっても、ちらしがなかなか販売に結びつかないということを意味する。
【０００３】
そこで、ネットワーク技術を用いて、従来の新聞折込み広告や店頭配布広告に含まれるような情報を配信することが検討されている。ネットワークを介して情報を配信することにより、情報をタイムリーに提供することができるようになるととも、情報を受け取る側としても、必要な情報をすばやく入手できるようになることが期待されている。
【０００４】
ところで従来の情報の配信においては、インターネットを使った情報の配信に代表されるように、配信を受けたい人（情報探索者）と配信をしたい人（情報提供者）との間に配信の仲介を行う仲介者のサーバを配置するようにシステムを構成することが一般的である。しかしながら、仲介者のサーバを置くことについては、以下のような問題点がある。
【０００５】
（１）情報の配信を受けたい人、情報の配信をしたい人の数が多くなり、また配信を受けたい人等の入れ替わりが多くなると、サーバの規模が拡大するとともに、そのサーバの蓄積内容の変更を頻繁に行わなければならなくなり、要求や変更に対してリアルタイムに対応することが困難になる。
【０００６】
（２）配信を受けたい人、配信をしたい人のいずれも仲介者の存在を知り、その仲介者が運営するダウンロードサーバやＦＴＰサーバに接続することが必要になるが、それぞれの配信を受けたい人、配信をしたい人にとっては、自分に最適な仲介者のサービスを探すことは困難である。
【０００７】
（３）仲介者のサーピスの運営方針に従わなければならない。
【０００８】
（４）仲介料が発生する。
【０００９】
一方、仲介者サーバなどのサーバを用いないシステムとしては、星合隆成他，  “意味情報ネットワークアーキテクチャ”，  電子情報通信学会論文誌Ｂ，  Ｖｏｌ．  Ｊ８４−Ｂ，  Ｎｏ．  ３，  ｐｐ．  ４１１−４２４（非特許文献１）において、情報を配布すべき最適なユーザを情報提供者が特定することができ、またエンドユーザがそのエンドユーザにとって最適な情報を特定することができる意味情報ネットワーク（ＳＩＯＮｅｔ；Ｓｅｍａｎｔｉｃ  Ｉｎｆｏｒｍａｔｉｏｎ−Ｏｒｉｅｎｔｅｄ  Ｎｅｔｗｏｒｋ）が開示されている。
【００１０】
意味情報ネットワークとは、簡単に言えば、意味情報に基づいて、イベントとして送信されたデータを目的地まで配送することが可能なネットワークである。イベントは、データと意味情報から構成されており、ここで意味情報は、イベントに含まれるデータの特性を記述したものである。そして、この意味情報ネットワークの利用者は、自身が受信することを希望するイベントの意味情報（受信するイベントのタイプと取得条件）をメタ情報として意味情報ネットワークに登録する。このメタ情報はフィルタと呼ばれる。そしてイベントが意味情報ネットワークに送出されたとき、意味情報ネットワークは、フィルタに対してイベントを照合（フィルタリング）する。照合の結果、イベントが通過した（イベントに反応した）フィルタは“発火”し、対応する端末装置を自動起動する。この仕組みによって、意味情報ネットワークでは、そこに接続された不特定多数の端末装置の中から、対象となる端末装置をスケーラブルかつリアルタイムに探索・発見することが可能になる。
【００１１】
また特開２００２−１８３３８７「意味情報ネットワークを用いた情報提供方法とシステム、情報受信方法および送信端末と受信端末」（特許文献１）には、上記の意味情報ネットワークを用い、情報探索者である利用者がその利用者の端末装置から、自分の行動予定をもとに場所および期間を取得条件としてフィルタを設定し、一方、情報提供者がその情報提供者の端末装置から、時間および場所の情報を条件にしたイベントを送信することにより、場所と時間が一致した利用者の端末装置に対して情報提供者が所持する情報を伝える方法が開示されている。この方法は、フィルタにおける“発火”の条件に時間が含まれているため、利用者の所望する時間帯に関係する情報を集めるのには便利であるが、利用者の予定が変わって所望の時間帯がずれた場合には、もう一度、情報を集め直すことが必要となり、その時に、情報提供者側からイベントが届かないとせっかくのチャンスを逃がしてしまうことになる。利用者側に必ずイベントが届くようにするためには、情報提供者側において頻繁にイベントを送信すればよいが、その分、ネットワークを流れるトラヒックが高くなるので、むやみに頻繁にイベントを送信することは難しい。また、場所と時間だけでフィルタを設定して情報を集めることになるので、場所と時間帯が一致していれば自分が興味を持たない情報であってもその情報を集めてしまう、という問題点がある。
【００１２】
【特許文献１】
特開２００２−１８３３８７
【非特許文献１】
星合隆成他，“意味情報ネットワークアーキテクチャ”，電子情報通信学会論文誌Ｂ，Ｖｏｌ．  Ｊ８４−Ｂ，Ｎｏ．  ３，ｐｐ．  ４１１−４２４
【００１３】
【発明が解決しようとする課題】
上述したように、仲介となるサーバを設けるシステムでは、配信を受けたい人、配信をしたい人の数が多くなり、また配信を受けたい人等の入れ替わりが多くなると、大規模なサーバを設備しなければならなくなってコストがかかるとともに、リアルタイムに対応することが難しくなる等の問題がある。
【００１４】
またサーバを用いない意味情報ネットワークを用いた方法では、サーバを使うことによる問題点はなくなるが、利用者の予定が変わって所望の時間帯がずれた場合には、フィルタ設定をやり直してもう一度情報の集め直しをしなければならないという融通性の点で問題があり、また、自分が興味のない情報であっても場所および時間帯が一致しているだけで集めてしまうという、選択性の面においても問題がある。
【００１５】
したがって本発明の目的は、上記の問題を解決するために、意味情報ネットワークを用い、所望とする時間帯が変わっても情報の集め直しをする必要がなく、また自分が興味のある情報に絞って収集することを可能にする方法およびシステムを提供することにある。
【００１６】
【課題を解決するための手段】
本発明のちらし配信方法は、情報探索者の行動予定と嗜好とに基づいたちらし情報を情報探索者が受信できるようにするちらし配信方法であって、情報探索者の端末装置が、意味情報ネットワークに対し、情報探索者の行動予定の目的地と嗜好情報とによりフィルタを設定するステップと、情報提供者の端末装置が催し物の場所とその催し物の特性とを意味情報としてちらし情報を含むイベントを意味情報ネットワークに送信するステップと、を有し、イベントによってフィルタが発火したことにより、情報探索者の端末装置がイベントに含まれるちらし情報を取得する。
【００１７】
本発明のちらし配信システムは、情報探索者の行動予定と嗜好とに基づいたちらし情報を情報探索者が受信できるようにするちらし配信システムであって、意味情報ネットワークと、意味情報ネットワークに接続可能な情報探索者の端末装置と、意味情報ネットワークに接続された情報提供者の端末装置を有し、情報探索者の端末装置は、意味情報ネットワークに対し、情報探索者の行動予定の目的地と嗜好情報とによりフィルタを設定する手段と、フィルタにおいて発火したイベントに含まれるちらし情報を取得する手段と、を有し、情報提供者の端末装置は、催し物の場所とその催し物の特性とを意味情報としてちらし情報を含むイベントを意味情報ネットワークに送信する手段を有する。
【００１８】
すなわち本発明では、上記課題を解決するために、意味情報ネットワークを用いるとともに、情報探索者側では行動予定の場所と嗜好情報とをフィルタとして設定し、情報提供者は催し物の場所と特性とを意味情報としたイベントを送信する。このイベントには、データとしてちらし情報が含まれる。
【００１９】
ここでは、行動予定における時間がずれても情報の集め直しをしなくて済むようにするため、時間に関しては幅（例えば１日単位）を持たせて情報を集めるようにすることが好ましい。できる限り新しい情報が取得できるようにするという観点からは、当日の１日を対象にすればよく、このような時間情報は、イベントにおけるデータ部分に入れる。時間に幅をもたせることは、情報提供者にとっても時間がはっきりしない段階から（例えばタイムサービスのように直前にならないと時間が言えないイベントについて）、前宣伝を行うことができるというメリットがある。当然、時間が決まったら、再度、確定した時間をちらし情報として含むイベントを送信することになる。
【００２０】
また、本発明では、情報探索者が、自分が興味のある情報に絞って収集することを可能にするために、フィルタに自分の嗜好を設定できるようにする。このとき、嗜好情報を手入力で設定してもよいが、端末装置がインターネット接続機能を有する場合には、情報探索者がどのようなウェブサイトを参照したかの履歴を端末装置に蓄積するようにして、その履歴の統計から自動的に嗜好情報を設定できるようにすることが、情報探索者の入力の手間を省く観点から、好ましい。
【００２１】
【発明の実施の形態】
次に、本発明の好ましい実施の形態について、図面を参照して説明する。ここでは、以下に説明するように、第１の実施形態から第３の実施形態までの３つの実施形態によって本発明を説明する。第１の実施形態は、情報探索者の端末装置として、ネットワークに固定的に接続されたパーソナルコンピュータ（ＰＣ）などの固定端末装置を適用したものであり、第２の実施形態は、情報探索者の端末装置として、無線によりネットワークに接続するＰＤＡ（携帯情報端末；ｐｅｒｓｏｎａｌ  ｄｉｇｉｔａｌ  ａｓｓｉｃｔａｎｔｃｅ）などの携帯端末装置を適用したものであり、第３の実施形態は、情報探索者が固定端末装置と携帯端末装置とを併用する場合にこれらの固定端末装置と携帯端末装置とを連携させたものである。
【００２２】
図１は、本発明の第１の実施形態によるちらし配信システムの構成を示している。
【００２３】
情報やデータを実際に伝達するための物理的なネットワークである伝達ネットワーク１０の上層に、意味情報ネットワーク（ＳＩＯＮｅｔ）２０が構築されている。伝達ネットワーク１０としては、例えば、ＩＰ（Ｉｎｔｅｒｎｅｔ  ｐｒｏｔｏｃｏｌ）ネットワークなどが使用される。意味情報ネットワーク２０の具体的な構成は、特許文献１（特開２００２−１８３３８７）に記載されている通りのものである。さらに、意味情報ネットワーク２０とは別個のネットワークとして、インターネット３０が存在している。情報探索者６１に対応して、パーソナルコンピュータなどで構成された固定端末装置５１が設けられ、また、情報提供者６２に対応して端末装置５２が設けられている。固定端末装置５１および端末装置５２は、いずれも、伝達ネットワーク１０とは物理的に接続し、また意味情報ネットワーク２０とは論理的に接続されている。さらに固定端末装置５１は、インターネット３０とも接続しており、インターネット３０上のウェブ（ｗｅｂ）サイトにアクセスして情報を受信できるようになっている。
【００２４】
固定端末装置５１および端末装置５２は、いずれも、意味情報ネットワーク２０と協働して機能するプログラム、および意味情報ネットワークを構築する意味情報スイッチ（ＳＩ−ＳＷ）、意味情報ルータ（ＳＩ−Ｒ）などを実現するプログラムをインストールすることにより、自身の端末装置にイベントプレース（ＥＰ）を生成することを前提とする。あるいは、固定端末装置５１および端末装置５２は、意味情報ネットワーク２０と協働して機能するプログラムをインストールするとともに、ネットワーク上にある他のイベントプレース（ＥＰ）ヘアクセスしてセッションまたはシェアードリンクを確立することにより、意味情報ネットワーク２０に接続されていることを前提とする。また後述するように、固定端末装置５１にはアプリケーションプログラムとしてちらし情報探索アプリケーション５１１が実装され、端末装置５２にはアプリケーションプログラムとしてちらし情報提供アプリケーション５２１が実装されている。
【００２５】
このちらし配信システムでは、情報探索者６１が固定端末装置５１を用いて意味情報ネットワーク２０にフィルタを設定し、情報提供者６２が端末装置５２を用いてちらし情報をイベントとして意味情報ネットワーク２０に送信する。図１の（１）はここでのフィルタの設定例を示しており、情報探索者６１は、その人自身の当日の行動予定の目的地、例えば新宿と、その人自身の最近の嗜好の設定を行う。最近の嗜好については、情報探索者６１が自分の手で入力することも可能であるが、情報探索者６１が固定端末装置５１を介してインターネット３０上のウェブサイトに日常的にアクセスしている場合に、どのようなウェブサイトをアクセスしているかを示すウェブ参照履歴の統計を求めておき（▲１▼）、その参照履歴統計に基づいて設定することも可能である。図１の（１）に示したフィルタ例は、最近の嗜好として、「バーゲン」と「健康食」の２つが設定された例である（▲２▼）。
【００２６】
一方、図１の（２）は、情報提供者６２の端末装置５２から意味情報ネットワーク２０に送信されるイベントの例を示している。情報提供者６２は、当日の催し物の場所（会場）、例えば「新宿」と、催し物の特性（提供情報の特性）、例えば「バーゲン」とを、イベントにおける意味情報として入力する。もちろん、イベントのデータ部を構成するちらし情報も入力する。これによって、端末装置５２によってイベントが構成され、意味情報ネットワーク２０に送信される（▲３▼）。イベントは意味情報ネットワーク２０内を伝搬するが、固定端末装置５１で設定したフィルタに対し、イベントに含まれる意味情報「新宿」と「バーゲン」とが合致することにより、そのフィルタが発火して固定端末装置５１がイベントを受信する（▲４▼）。その結果、情報探索者６１は、受信したイベントによりちらし情報を取得することができる（▲５▼）。
【００２７】
図２は、第１の実施形態の動作を説明する処理シーケンスチャートであり、情報探索者６１と、情報探索者６１の固定端末装置５１と、情報提供者６２と、情報提供者６２の端末装置５２との間での動作の流れを示している。図中の丸付き数字▲１▼〜▲５▼は、図１における▲１▼〜▲５▼に対応している。
【００２８】
情報探索者６１は、インターネット３０上の各ウェブサイトにアクセスするために、固定端末装置５１に対してウェブ入力操作を行い（ステップ１０１）、これを受けて固定端末装置５１はインターネット３０上の該当するウェブサイトにアクセスし（ステップ１０２）、ウェブサイトから情報を受信し（ステップ１０３）、情報を表示するなどの方法によりその受信した情報を情報探索者６１に通知する。ステップ１０１〜１０４の処理は、検索探索者６１がウェブサイトにアクセスするために日常的に行われているものであり、ステップ１０５では、これらのウェブ参照履歴の統計処理が行われる。この統計処理は、フィルタに登録する条件をまとめ、フィルタを設定するために行われる。
【００２９】
情報探索者６１は、情報を探索し情報の配信を受けようとするときには、その当日の目的地を固定端末装置５１に入力する（ステップ１０６）。ウェブ参照履歴の統計によらずに情報探索者６１の嗜好をフィルタに設定する場合には、情報探索者６１は、ステップ１０６においてその嗜好も入力する。
【００３０】
固定端末装置５１は、ウェブ参照履歴の統計結果および情報探索者６１からの目的地（および嗜好）の入力結果の両方をフィルタに登録するための登録情報として蓄積し（ステップ１０７）、その登録情報に基づいてフィルタの設定を行う（ステップ１０８）。
【００３１】
一方、情報提供者６２の側では、催し物の場所と催し物の特性とを意味情報とするイベントを意味情報ネットワーク２０に対して送信するために、情報提供者６２が端末装置５２に対してちらし情報の入力操作を行い（ステップ１０９）、端末装置５２はちらし情報を蓄積し（ステップ１１０）、イベントを構成して意味情報ネットワーク２０に送信する（ステップ１１１）。固定端末装置５１の側では、ちらし情報を取得するために、送信されたイベントのうちフィルタに設定された条件に合致したイベントが受信され（ステップ１１２）、固定端末装置５１はそのイベントからちらし情報を取得して蓄積し（ステップ１１３）、表示などの手段によって情報探索者６１にそのちらし情報を通知する（ステップ１１４）。
【００３２】
次に、固定端末装置５１および端末装置５２の構成について、図３を用いて説明する。固定端末装置５１や端末装置５２は上述したようにパーソナルコンピュータなどによって実現されるが、図３は、ソフトウェアからみた機能ブロック図として固定端末装置、端末装置を示している。
【００３３】
固定端末装置５１は、ＵＮＩＸ（Ｒ）またはＷｉｎｄｏｗｓ（Ｒ）などのオペレーティングシステム（ＯＳ）５１２と、オペレーティングシステム５１２の上に実装されたＣＯＲＢＡ（ｃｏｍｍｏｎ  ＯＲＢ  ａｒｃｈｉｔｅｃｔｕｒｅ）またはＳＯＡＰ（ｓｉｍｐｌｅ  ｏｂｊｅｃｔ  ａｃｃｅｓｓ  ｐｒｏｔｏｃｏｌ）準拠のミドルウェア５１３と、このミドルウェア５１３の上に意味情報ネットワーク２０と協働して機能するプログラムおよび意味情報ネットワークを構築するためのプログラムをインストールすることにより自身の端末にイベントプレース（ＥＰ）を生成するか、あるいは意味情報ネットワーク２０と協働して機能するプログラムをインストールし他のネットワークノード上にあるイベントプレース（ＥＰ）にアクセスしてセッションまたはシェアードリンクを確立することにより、意味情報ネットワーク２０に接続するＳＩＯＮｅｔ対応部５１４と、オペレーティングシステム５１２上のアプリケーションプログラムとして実装されるちらし情報探索アプリケーション５１１と、から構成されている。
【００３４】
ここで、ちらし情報探索アプリケーション５１１について詳細に説明する。ちらし情報探索アプリケーション５１１には、最近の嗜好情報に基づいたフィルタの設定を可能にするために、機能部として、情報探索者６１の日ごろのウェブ参照履歴の統計処理を行うウェブ参照履歴統計部７１１が設けられており、情報探索者６１の当日の目的地（場合により嗜好も含む）の入力操作を受信する目的地／嗜好入力部７１２と、フィルタに登録する情報を管理する登録情報管理部７１３と、フィルタに登録する情報を蓄積する登録情報データベース（ＤＢ）７１４と、ＳＩＯＮｅｔ対応部５１４を介して意味情報ネットワーク２０に対してフィルタの設定を行うフィルタ登録部７１５とが設けられている。目的地／嗜好入力部７１２には、ＧＵＩ（グラフィカルユーザインターフェース）によって情報探索者６１の入力操作を受け付ける。さらにちらし情報探索アプリケーション５１１は、機能部として、フィルタの発火により受信したイベントからちらし情報を受信し取得するちらし情報受信部７１６と、ちらし情報を保存管理するちらし情報保存部７１７と、ちらし情報を蓄積するちらしデータベース（ＤＢ）７１８と、ちらし情報をＧＵＩによって情報探索者６１に表示するちらし情報表示部７１９とを備えている。このような機能部を有するちらし情報探索アプリケーション５１１を用いることにより、固定端末装置５１において、情報探索者６１の当日の目的地とウェブ参照履歴に基づく嗜好とを条件にしたちらし情報を取得することが可能になる。
【００３５】
一方、端末装置５２は、固定端末装置５１と同様に、オペレーティングシステム５２２と、ミドルウェア５２３と、ＳＩＯＮｅｔ対応部５２４とを備え、さらに、オペレーティングシステム５２２上のアプリケーションプログラムとして実装されるちらし情報提供アプリケーション５２１を備えている。ちらし情報提供アプリケーション５２１は、機能部として、ＧＵＩにより情報提供者６２からのちらしの入力操作を受信するちらし情報入力部７２１と、ちらし情報を蓄積するちらしデータベース（ＤＢ）７２２と、イベントを構成して意味情報ネットワーク２０に送信するちらし情報配信部７２３とを備えている。このような機能部を有するちらし情報提供アプリケーション５２１を用いることにより、端末装置５２において、催し物の場所と催し物の特性とを意味情報とするイベントを意味情報ネットワーク２０に送信することが可能になる。
【００３６】
以上説明した第１の実施形態では、情報探索者６２は、自分の固定端末装置５１に対して少なくとも当日の行動予定を入力することにより、その固定端末装置５１から、その当日の行動予定と嗜好に合ったちらし情報を取得することが可能になる。
【００３７】
次に、本発明の第２の実施形態のちらし配信システムについて説明する。図４は第２の実施形態のちらし配信システムの全体構成を示している。上述の第１の実施形態では情報探索者の端末装置は固定端末装置であるとしていたが、この第２の実施形態では、情報探索者の端末装置は、無線接続による移動体通信ネットワークへの接続機能を有するＰＤＡなどの携帯端末装置である。
【００３８】
第２の実施形態のちらし配信システムは、第１の実施形態のものと同様に、伝達ネットワーク１０と意味情報ネットワーク２０とインターネット３０とが設けられ、情報提供者６２の端末装置５２は、物理的には伝達ネットワーク１０に接続し、論理的には意味情報ネットワーク２０に接続している。さらにこのシステムには、移動体通信ネットワーク４０が設けられており、情報探索者６１の携帯端末装置５３は、移動体通信ネットワーク４０を介し、伝達ネットワーク１０、意味情報ネットワーク２０およびインターネット３０と接続されている。情報提供者６２の端末装置５２は、第１の実施形態におけるものと同様のものであり、ちらし情報提供アプリケーション５２１が実装されている。これに対して情報探索者６１の携帯端末装置５３には、第１の実施形態でのちらし情報探索アプリケーション５１１に類似したちらし情報探索アプリケーション５３１が実装されている。
【００３９】
このちらし配信システムでも、情報探索者６１が移動端末装置５３を用いて意味情報ネットワーク２０にフィルタを設定し、情報提供者６２が端末装置５２を用いてちらし情報をイベントとして意味情報ネットワーク２０に送信する。図４の（１）はここでのフィルタの設定例を示しており、図４の（２）はイベントの例を示している。いずれも図１の（１）および（２）に示したものと同じであり、したがって、この実施形態のちらし配信システムは、固定端末装置５１を適用したシステムと同じ機能構成にすることができる。さらに本実施形態のちらし配信システムでは、移動体通信ネットワーク４０を介して無線電波の届く範囲を情報提供者が希望する情報提供の（地理的）範囲とした場合には、情報探索者６１側でその電波を受信できることは、情報提供者が希望する情報提供の範囲内にその情報探索者６１が所在していることを意味するので、情報探索者６１としては目的地を省略したフィルタを設定することができ、また、情報提供者６２も催し物の場所を省略したイベントを送信することができる。無線電波の届く範囲が例えばショッピングセンターの店内程度の範囲であるとすると、この実施形態は、店頭配布の広告物（例えば、タイムサービスのお知らせ）を配信することに対応する。
【００４０】
図５は、第２の実施形態の動作を説明する処理シーケンスチャートであり、情報探索者６１と、情報探索者６１の携帯端末装置５３と、情報提供者６２と、情報提供者６２の端末装置５２との間での動作の流れを示している。図５に示したステップ１２１〜１３４の各処理は、それぞれ図２におけるステップ１０１〜１１４の処理と同様のものであり、情報探索者６１の端末装置として固定端末装置を用いるシステムと同じ動作で対応することができる。この場合、上述したように、情報提供者が希望する情報提供の範囲と無線電波が届く範囲とが一致している場合には、フィルタとして目的地の設定を省略でき、また催し物の場所を省略したイベントを送信することができる。このように目的地の設定を省略する場合には、ステップ１２６は省略することができ、あるいはステップ１２６では情報探索者６１の嗜好のみを入力するようにし、ステップ１２８では、目的地を省略してフィルタを設定する。また、ステップ１２９において、情報提供者６２は、催し物の場所を省略してちらし情報を入力し、ステップ１３１では、催し物の場所が省略されたイベントが送信される。
【００４１】
次に、携帯端末装置５３および端末装置５２の構成について、図６を用いて説明する。携帯端末装置５３や端末装置５２は上述したようにパーソナルコンピュータなどによって実現されるが、図６は、ソフトウェアからみた機能ブロック図として携帯端末装置、端末装置を示している。端末装置５２としては、図３に示したものと同一のものが使用される。
【００４２】
携帯端末装置５３は、図３に示した固定端末装置と同様に、オペレーティングシステム５３２と、オペレーティングシステム５３２の上に実装されたミドルウェア５３３と、このミドルウェア５３３の上に意味情報ネットワーク２０と協働して機能するプログラムおよび意味情報ネットワークを構築するためのプログラムをインストールすることにより自身の端末にイベントプレース（ＥＰ）を生成するか、あるいは意味情報ネットワーク２０と協働して機能するプログラムをインストールし他のネットワークノード上にあるイベントプレース（ＥＰ）にアクセスしてセッションまたはシェアードリンクを確立することにより、意味情報ネットワーク２０に接続するＳＩＯＮｅｔ対応部５３４と、オペレーティングシステム５３２上のアプリケーションプログラムとして実装されるちらし情報探索アプリケーション５３１と、から構成されている。ここには示していないが、ＳＩＯＮｅｔ対応部５３４は、移動体通信ネットワークを介して意味情報ネットワーク２０に接続するようになっている。
【００４３】
ちらし情報探索アプリケーション５３１には、図３に示したちらし情報探索アプリケーションと同様に、機能部として、ウェブ参照履歴統計部７３１、目的地／嗜好入力部７３２、登録情報管理部７３３、登録情報データベース７３４、フィルタ登録部７３５、ちらし情報受信部７３６、ちらし情報保存部７３７、ちらしデータベース７８３およびちらし情報表示部７３９が設けられている。すなわち、このちらし情報探索アプリケーション５３１は、図３に示した固定端末装置でのちらし情報探索アプリケーションと同様の構成とすることができる。ただし上述したように、本実施形態では、情報提供者が希望する情報提供の範囲と無線電波が届く範囲とが一致している場合には、フィルタとして目的地の設定を省略でき、また催し物の場所を省略したイベントを送信することができる。これに対応して、ちらし情報探索アプリケーション５３１では、目的地／嗜好入力部７３２では目的地の入力を省略でき、また、フィルタ登録部７３５は目的地が省略されたフィルタを設定できる。端末装置５２のちらし情報提供アプリケーション５２１においても、ちらし情報入力部７２１は、催し物の場所を省略したちらし情報を受け付けることができ、ちらし情報配信部７２３は、催し物の場所を省略したイベントを意味情報ネットワーク２０に送信することができる。
【００４４】
以上説明した第２の実施形態では、情報探索者６２は、自分の携帯端末装置５３から、その当日の行動予定と嗜好に合ったちらし情報を取得することが可能になる。
【００４５】
次に、本発明の第３の実施形態のちらし配信システムについて説明する。図７は第３の実施形態のちらし配信システムの全体構成を示している。第３の実施形態では、情報探索者６１が固定端末装置５１と携帯端末装置５３の両方を用いており、固定端末装置５１と携帯端末装置５３とが連携するようになっている。本実施形態では、固定端末装置５１としては第１の実施形態での固定端末装置と同様のものが使用され、携帯端末装置５３としては第２の実施形態での携帯端末装置と同様のものが使用されている。
【００４６】
固定端末装置５１と携帯端末装置５３とは、典型的には、無線通信による通信手段である通信リンク５４により随時接続とされている。そしてここでは、固定端末装置５１は自宅などに設置されているとして、固定端末装置５１で取得したちらし情報をフィルタの登録情報とともに携帯端末装置５３に取り込み外出すること、あるいは外出中に携帯端末装置５３で取得したちらし情報およびフィルタの登録情報を帰宅時に固定端末装置５１に取り込むことを可能にしている。図７は在宅時におけるシステムの形態を示しており、ここでは、システムの構成は図１に示したものと同じであり、さらに、固定端末装置５１に対して携帯端末装置５３が通信リンク５４を介して接続した構成となっている。図７には示していないが、外出時には、図４に示したものと同じ構成をとり、携帯端末装置５３は、移動体通信ネットワークを介して意味情報ネットワーク２０やインターネット３０に接続するようになる。したがって、フィルタの設定例やイベントの例も、図１や図４に示したものと同じである。
【００４７】
図８は、第３の実施形態の動作を説明する処理シーケンスチャートであり、情報検索者６１と、携帯端末装置５３と、固定端末装置５１との間での動作の流れを示している。固定端末装置５１において単独に行われる各ステップは図２に示したものと同じであり、携帯端末装置において単独に行われる各ステップは図５に示したものと同じである。以下、固定端末装置５１で取得したちらし情報を携帯端末装置５３に取り込む処理について説明する。
【００４８】
固定端末装置５１は、ステップＳ１１３においてちらし情報を蓄積したのち、通信リンク５４を介してちらし情報を携帯端末装置５３に転送し（ステップ１１３ａ）、携帯端末装置５３は、そのちらし情報を受信して蓄積し（ステップ１３３ｂ）、情報探索者６１にちらし情報を通知する（ステップ１３４ｂ）。固定端末装置５１は、このちらし情報の転送に対応させてフィルタの登録情報の転送も行い（ステップ１０７ａ）、携帯端末装置５３は、登録情報を受信して蓄積する（ステップ１２７ｂ）。
【００４９】
次に、外出中に携帯端末装置５３で取得したちらし情報を帰宅時に固定端末装置５１に取り込む処理について説明する。
【００５０】
携帯端末装置５３は、ステップ１３３においてちらし情報を蓄積したのち、そのちらし情報を固定端末装置５１に転送し（ステップ１３３ａ）、固定端末装置５１は、転送されてきたちらし情報をステップ１１３において受信し蓄積する。携帯端末装置５３は、このちらし情報の転送に対応させてフィルタの登録情報の転送も行い（ステップ１２７ａ）、固定端末装置は、転送されてきた登録情報をステップ１０７において受信し、蓄積する。
【００５１】
次に、固定端末装置５１および携帯端末装置５３の構成について、図９を用いて説明する。固定端末装置５１や携帯端末装置５３は上述したようにパーソナルコンピュータなどによって実現されるが、図９は、ソフトウェアからみた機能ブロック図として固定端末装置、固定端末装置を示している。なお端末装置５２としては、図３に示したものと同一のものが使用される。
【００５２】
固定端末装置５１は、図３に示した固定端末装置と同様に、オペレーションシステム５１２、ミドルウェア５１３、ＳＩＯＮｅｔ対応部５１４を備えるとともにちらし情報探索アプリケーション５１１が実装されているが、携帯端末装置５３との通信リンク５４を介して連携を可能にするために、ちらし情報探索アプリケーション５１１における機能部として、携帯端末装置５３から登録情報を受信する登録情報受信部７４１と、携帯端末装置５３に登録情報を転送するための登録情報転送部７４２と、携帯端末装置５３からちらし情報を受信するちらし情報受信部７４３と、携帯端末装置５３にちらし情報を転送するちらし情報転送部７４４とが付加されている点で、図３に示したものと異なっている。また、携帯端末装置５３は、図６に示した携帯端末装置と同様に、オペレーションシステム５３２、ミドルウェア５３３、ＳＩＯＮｅｔ対応部５３４を備えるとともにちらし情報探索アプリケーション５３１が実装されているが、固定端末装置５１との通信リンク５４を介して連携を可能にするために、ちらし情報探索アプリケーション５３１における機能部として、固定端末装置５１から登録情報を受信する登録情報受信部７４５と、固定端末装置５１に登録情報を転送するための登録情報転送部７４６と、固定端末装置５１からちらし情報を受信するちらし情報受信部７４７と、固定端末装置５１にちらし情報を転送するちらし情報転送部７４８とが付加されている点で、図６に示したものと異なっている。
【００５３】
以上説明した第３の実施形態においては、固定端末装置で取得したちらし情報を携帯端末装置に、また携帯端末装置で取得したちらし情報を固定端末装置に取り込み、ちらし情報の有効活用を図ることができる。
【００５４】
以上、本発明の好ましい実施の形態のちらし配信システムについて説明したが、上述したように、ちらし配信システムにおける固定端末装置５１、端末装置５２および携帯端末装置５３は、いずれも、例えばパーソナルコンピュータやＰＤＡなどのコンピュータによって実現される。具体的には、オペレーティングシステムやミドルウェア、ＳＩＯＮｅｔ対応部を実現するためのプログラムなどのソフトウェア群が既に読込まれ、少なくともオペレーティングシステムは稼動しているコンピュータに、ちらし情報探索アプリケーションやちらし情報提供アプリケーションを読込ませ、ちらし情報探索アプリケーションやちらし情報提供アプリケーションと、ミドルウェアとＳＩＯＮｅｔ対応部に対応するプログラムとを実行させることによって、固定端末装置や携帯端末装置、端末装置が実現される。ちらし情報探索アプリケーションやちらし情報提供アプリケーションは、ＣＤ−ＲＯＭなどの記録媒体によって、あるいはネットワークを介して、コンピュータに読込まれる。
【００５５】
そのようなコンピュータは、一般に、ＣＰＵ（中央処理装置）と、プログラムやデータを格納するためのハードディスクなどの不揮発性メモリ装置と、主メモリと、キーボードやマウス、タッチパネルなどの入力装置と、ＣＲＴや液晶ディスプレイなどの表示装置と、ＣＤ−ＲＯＭ等の記録媒体を読み取る読み取り装置と、伝達ネットワーク１０および意味情報ネットワーク２０（携帯端末装置であれば移動体通信ネットワーク４０）に接続するためのインタフェースとなる通信インタフェースと、から構成されている。不揮発性メモリ装置、主メモリ、入力装置、表示装置、読み取り装置及び通信インタフェースは、いずれもＣＰＵに接続している。このコンピュータでは、ちらし情報探索アプリケーションやちらし情報提供アプリケーション（プログラム）を格納した記録媒体を読み取り装置に装着して記録媒体からプログラムを読み出して不揮発性メモリ装置に格納し、あるいは、ネットワークから通信インタフェースを介してちらし情報探索アプリケーションやちらし情報提供アプリケーションを不揮発性メモリ装置内にダウンロードし、その後、不揮発性メモリ装置に格納されているプログラムをＣＰＵが実行することにより、上述した固定端末装置や携帯端末装置、端末装置として機能することになる。
【００５６】
上述したような各実施形態によれば、（１）利用者（情報探索者）は、当日の行動予定の入力とウェブ参照履歴だけで行動予定に基づいたちらし情報（特売、イベント情報等）を出発前に受け取ることができ、（２）情報提供者としては、当日、近隣に訪れる利用者（店舗を訪れる可能性のある利用者）に対して的確にちらし情報を提供することができ、（３）さらに、携帯電話機能を有する携帯端末装置と連携することにより、情報提供者は場所と時間帯とを限定した最新の情報を提供することができ、利用者もこの情報をタイムリーに受信して活用することができるようになる。
【００５７】
【発明の効果】
以上説明したように本発明は、意味情報ネットワークを用いるとともに、利用者が所望とする時間帯が変わっても情報の集め直しをする必要がなく、またその利用者自身が興味のある情報に絞って収集することができるようになる、という効果がある。
【図面の簡単な説明】
【図１】本発明の第１の実施形態のちらし配信システムを示すブロック図である。
【図２】図１に示すシステムにおける動作の流れを示す処理シーケンス図である。
【図３】図１に示すシステムにおける固定端末装置および端末装置の構成を示すブロック図である。
【図４】本発明の第２の実施形態のちらし配信システムを示すブロック図である。
【図５】図４に示すシステムにおける動作の流れを示す処理シーケンス図である。
【図６】図４に示すシステムにおける携帯端末装置および端末装置の構成を示すブロック図である。
【図７】本発明の第３の実施形態のちらし配信システムを示すブロック図である。
【図８】図７に示すシステムにおける動作の流れを示す処理シーケンス図である。
【図９】図７に示すシステムにおける固定端末装置および固定端末装置の構成を示すブロック図である。
【符号の説明】
１０    伝達ネットワーク
２０    意味情報ネットワーク（ＳＩＯＮｅｔ）
３０    インターネット
４０    移動体通信ネットワーク
５１    固定端末装置
５２    端末装置
５３    移動端末装置
５４    通信リンク
６１    情報探索者
６２    情報提供者
５１１，５３１    ちらし情報探索アプリケーション
５１２，５２２，５３２    オペレーティングシステム（ＯＳ）
５１３，５２３，５３３    ミドルウェア
５１４，５２４，５３４    ＳＩＯＮｅｔ対応部
５２１    ちらし情報提供アプリケーション
７１１，７３１    ウェブ参照履歴統計部
７１２，７３２    目的地／嗜好入力部
７１３，７３３    登録情報管理部
７１４，７３４    登録情報データベース
７１５，７３５    フィルタ登録部
７１６，７３６，７４３，７４７    ちらし情報受信部
７１７，７３７    ちらし情報保存部
７１８，７２２，７３８    ちらしデータベース
７１９，７３９    ちらし情報表示部
７２１    ちらし情報入力部
７２３    ちらし情報配信部
７４１，７４５    登録情報受信部
７４２，７４６    登録情報転送部
７４４，７４８    ちらし情報転送部
【図１】
2004318659.tif 000003
【図２】
2004318659.tif 000004
【図３】
2004318659.tif 000005
【図４】
2004318659.tif 000006
【図５】
2004318659.tif 000007
【図６】
2004318659.tif 000008
【図７】
2004318659.tif 000009
【図８】
2004318659.tif 000010
【図９】
2004318659.tif 000011